(57)【要約】【課題】装置の大型化や大幅なコストアップを伴うことなく、記録ヘッドの相互間におけるインクミストの滞留を防ぎ、インクミストによる記録ヘッドなどの汚染を抑制することができるインクジェット記録装置を提供すること。【解決手段】記録ヘッド１ａ，１ｂの相互間に位置するキャリッジの底面２ａと、記録媒体３の記録面と、の間の対向間隔は、記録ヘッド１ａ，１ｂにおけるノズル面と、記録媒体３の記録面と、の間の対向間隔よりも大きい。記録ヘッド１ａの端部に取り付けられた突き出し部材４ａ，４ｂは、記録ヘッド１ｂの端部よりもノズル列の延在方向の外側に位置する。【選択図】図１
2013146893.tif 000002
【特許請求の範囲】
【請求項１】
ノズル列に沿って位置する複数のノズルからインクを吐出可能な複数の記録ヘッドと、前記複数の記録ヘッドが第１の方向にずれて位置し、かつ前記複数の記録ヘッドのそれぞれにおける前記ノズル列が前記第１の方向と交差する方向に延在するように、前記複数の記録ヘッドを支持する支持部材と、を用い、前記第１の方向に沿って前記支持部材と記録媒体とを相対移動させつつ、前記支持部材に支持された前記複数の記録ヘッドからインクを吐出させることにより、前記記録媒体の記録面に画像を記録するインクジェット記録装置において、
前記複数の記録ヘッドは、前記第１の方向において隣接する第１および第２記録ヘッドを含み、
前記第１および第２記録ヘッドの相互間に位置する前記支持部材の部位と、前記記録面と、の間の第１の対向間隔は、前記第１および第２記録ヘッドにおいて前記ノズルが形成されるノズル面と、前記記録面と、の間の第２の対向間隔よりも大きく、
前記ノズル列の延在方向の少なくとも一方側における前記第１および第２記録ヘッドの端部は、前記ノズル列の延在方向にずれて位置する
ことを特徴とするインクジェット記録装置。
【請求項２】
前記画像の記録時に、前記記録媒体に対して前記支持部材が前記第１の方向に沿う走査方向に相対的に移動し、
前記第１および第２記録ヘッドの一方の記録ヘッドは、前記第１および第２記録ヘッドの他方の記録ヘッドよりも前記走査方向の前方側に位置し、
前記ノズル列の延在方向の少なくとも一方側において、前記一方の記録ヘッドの端部は前記他方の記録ヘッドの端部よりも前記ノズル列の延在方向の外側に位置する
ことを特徴とする請求項１に記載のインクジェット記録装置。
【請求項３】
少なくとも前記他方の記録ヘッドにおける前記一方側の端部は、前記走査方向の前方側に位置する面に、前記ノズル列の延在方向の外側に向かうにしたがって前記走査方向の後方側に傾斜する傾斜面を有する
ことを特徴とする請求項２に記載のインクジェット記録装置。
【請求項４】
前記画像の記録時に、前記記録媒体に対して前記支持部材が前記第１の方向に沿う走査方向に相対的に移動し、
前記走査方向は、前記記録媒体に対して前記支持部材が前記第１の方向に沿って相対的に往復移動する往走査方向および復走査方向を含み、
前記ノズル列の延在方向の一方側における前記第１記録ヘッドの一端部は、前記ノズル列の延在方向の一方側における前記第２記録ヘッドの一端部よりも前記ノズル列の延在方向の外側に位置し、
前記ノズル列の延在方向の他方側における前記第２記録ヘッドの他端部は、前記ノズル列の延在方向の他方側における前記第１記録ヘッドの他端部よりも前記ノズル列の延在方向の外側に位置する
ことを特徴とする請求項１から３のいずれかに記載のインクジェット記録装置。
【請求項５】
前記第１記録ヘッドの前記一端部は、前記往走査方向の前方側に位置する面に、前記ノズル列の延在方向の外側に向かうにしたがって前記往走査方向の後方側に傾斜する傾斜面を有し、
前記第２記録ヘッドの前記他端部は、前記復走査方向の前方側に位置する面に、前記ノズル列の延在方向の外側に向かうにしたがって前記復走査方向の後方側に傾斜する傾斜面を有する
ことを特徴とする請求項４に記載のインクジェット記録装置。
【請求項６】
前記第１および第２記録ヘッドの少なくとも１つの端部は、当該記録ヘッドから前記ノズル列の延在方向の外側に突出する突き出し部材によって形成されることを特徴とする請求項１から５のいずれかに記載のインクジェット記録装置。
【請求項７】
前記突き出し部材と前記記録面との間の第３の対向間隔は、前記第１の対向間隔よりも小さく、かつ前記第２の対向間隔よりも大きいことを特徴とする請求項６に記載のインクジェット記録装置。
【請求項８】
前記第１および第２記録ヘッドの少なくとも一方は、複数の記録ヘッドを前記ノズル列の延在方向に連ねて構成されることを特徴とする請求項１から７のいずれかに記載のインクジェット記録装置。
【発明の詳細な説明】
【技術分野】
【０００１】
本発明は、記録ヘッドの相互間におけるインクミストの滞留を防ぐことができるインクジェット記録装置に関するものである。
【背景技術】
【０００２】
インクジェット記録装置は、記録ヘッドのノズルから液体のインクを吐出することによって、記録媒体に画像を記録するため、ノズルからインクを吐出する際に、インク滴と一緒に細かい霧状の不要なインクミストが発生してしまうことがある。特に、高精細な記録を高速に実現するために、多数のノズルから高い駆動周波数でインクを吐出する場合には、発生するインクミストの量が多くなる。このようなインクミストが記録ヘッドのノズル近傍に付着あるいは堆積した場合には、インクの吐出不良を引き起こし、記録ヘッドの信頼性の低下を招くおそれがある。また、異なるインクを吐出可能な複数の記録ヘッドを搭載したキャリッジの移動を伴って画像を記録する場合には、移動方向の前方側の記録ヘッドから発生したインクミストが移動方向の後方側の記録ヘッドに付着して、混色を引き起こすおそれもある。
【０００３】
このようなインクミストのノズル近傍への付着を防止するために、特許文献１には、記録ヘッドの相互間に位置する吸引口からインクミストを吸引する方法が記載され、特許文献２には、静電気の作用を利用してインクミストを回収する方法が記載されている。特許文献３には、ノズル先端の吐出口が形成される記録ヘッドのノズル面から突き出たミスト回収部材によって、インクミストを回収する方法が記載されている。特許文献４には、ノズル面から突き出た突起物によって、インクミストの流れを変化させる方法が記載されている。特許文献５には、記録ヘッドのノズル面以外の部位に設けた板部材によって、記録ヘッドの相互間に流入する気流を整流する方法が記載されている。特許文献６には、記録ヘッドのノズル面以外の部位に設けた薄いフィンによって、記録媒体側に向かう気流を発生させる方法が記載されている。
【先行技術文献】
【特許文献】
【０００４】
【特許文献１】特開２００４−３０６２７０号公報
【特許文献２】特開２００７−３３１１８６号公報
【特許文献３】特開２００６−０８２２８６号公報
【特許文献４】特開２００６−３１５２２６号公報
【特許文献５】特開２００６−１４２６５７号公報
【特許文献６】特開２００７−３２６２８３号公報
【発明の概要】
【発明が解決しようとする課題】
【０００５】
しかしながら、特許文献１に記載の吸引口を用いた場合には、吸引口の目詰まり、および吸引口からのインクミストの垂れ落ちに対する対策が必要となり、また、特許文献２に記載されているように静電気を利用した場合には、予期せぬ放電を招くおそれがある。また、特許文献３，４に記載されているように、記録ヘッドのノズル面から突き出たミスト回収部材や突起物を用いた場合には、それらが記録媒体の記録面と干渉するおそれがある。また、特許文献５，６に記載されているように、記録ヘッドのノズル面以外の部位に板部材や薄いフィンを設けた場合には、それらと記録媒体との干渉は回避できるものの、それらが気流に及ぼす影響が小さく、インクミストの付着量を低減することは難しい。
【０００６】
本発明の目的は、装置の大型化や大幅なコストアップを伴うことなく、記録ヘッドの相互間におけるインクミストの滞留を防ぎ、インクミストによる記録ヘッドなどの汚染を抑制することができるインクジェット記録装置を提供することにある。
【課題を解決するための手段】
【０００７】
本発明のインクジェット記録装置は、ノズル列に沿って位置する複数のノズルからインクを吐出可能な複数の記録ヘッドと、前記複数の記録ヘッドが第１の方向にずれて位置し、かつ前記複数の記録ヘッドのそれぞれにおける前記ノズル列が前記第１の方向と交差する方向に延在するように、前記複数の記録ヘッドを支持する支持部材と、を用い、前記第１の方向に沿って前記支持部材と記録媒体とを相対移動させつつ、前記支持部材に支持された前記複数の記録ヘッドからインクを吐出させることにより、前記記録媒体の記録面に画像を記録するインクジェット記録装置において、前記複数の記録ヘッドは、前記第１の方向において隣接する第１および第２記録ヘッドを含み、前記第１および第２記録ヘッドの相互間に位置する前記支持部材の部位と、前記記録面と、の間の第１の対向間隔は、前記第１および第２記録ヘッドにおいて前記ノズルが形成されるノズル面と、前記記録面と、の間の第２の対向間隔よりも大きく、前記ノズル列の延在方向の少なくとも一方側における前記第１および第２記録ヘッドの端部は、前記ノズル列の延在方向にずれて位置することを特徴とする。
【発明の効果】
【０００８】
本発明によれば、走査方向において隣接する記録ヘッドの端部の位置をずらす簡単な構成により、それらの記録ヘッドの相互間に気流を積極的に形成することができる。この結果、装置の大型化や大幅なコストアップを伴うことなく、記録ヘッドの相互間におけるインクミストの滞留を防ぎ、インクミストによる記録ヘッドなどの汚染を抑制することができる。
【図面の簡単な説明】
【０００９】
【図１】本発明の第１の実施形態における要部の構成の概略斜視図である。
【図２】（ａ）は、図１の構成をｙ方向から模式図、（ｂ）は、図１の構成をｙ方向から見た模式図、（ｃ）は、図１における部材の他の例を説明するための模式図、（ｄ）は、図１における部材のさらに他の例を説明するための模式図である。
【図３】（ａ），（ｂ），（ｃ）は、それぞれ、図１における部材を用いない構成の異なる例を説明するための模式図である。
【図４】図１における部材を備える記録ヘッドの他の構成例を説明するための模式図である。
【図５】本発明の第２の実施形態における要部の構成の概略斜視図である。
【図６】（ａ）は、図５の構成において往路走査時に生じる気流の説明図、（ｂ）は、図５の構成において復路走査時に生じる気流の説明図である。
【図７】図５における部材の他の例を説明するための模式図である。
【図８】図５における部材のさらに他の例を説明するための模式図である。
【図９】（ａ），（ｂ）は、それぞれ、図５における部材を用いない構成の異なる例を説明するための模式図である。
【図１０】図５における部材を備える記録ヘッドの他の構成例を説明するための模式図である。
【図１１】本発明の第３の実施形態における要部の構成の概略斜視図である。
【図１２】（ａ）は、図１１の構成において往路走査時に生じる気流の説明図、（ｂ）は、図１１の構成において復路走査時に生じる気流の説明図である。
【図１３】図１１における部材の他の例を説明するための模式図である。
【図１４】図１１における部材のさらに他の例を説明するための模式図である。
【図１５】（ａ），（ｂ）は、それぞれ、図１１における部材を用いない構成の異なる例を説明するための模式図である。
【図１６】図１１における部材を備える記録ヘッドの他の構成例を説明するための模式図である。
【図１７】（ａ）は、記録ヘッドのノズル面が突出していない構成におけるインク非吐出時の説明図、（ｂ）は、記録ヘッドのノズル面が突出していない構成におけるインク吐出時の説明図である。
【図１８】（ａ）は、記録ヘッドのノズル面が突出している構成におけるインク非吐出時の説明図、（ｂ）は、記録ヘッドのノズル面が突出している構成におけるインク吐出時の説明図である。
【図１９】本発明を適用可能なインクジェット記録装置の構成例を説明するための斜視図である。
【発明を実施するための形態】
【００１０】
以下、本発明の実施形態を図面に基づいて説明する。  
【００１１】
（気流とインクミストとの関係）
まず、気流とインクミストとの関係の検討結果について説明する。
【００１２】
記録ヘッドのノズルからのインクの吐出と共に発生したインクミストの一部は、そのノズルの近傍の領域に生じる上昇気流、つまり記録媒体から記録ヘッドのノズル面に向かう気流によって巻き上げられて、ノズル面に付着するおそれがある。その上昇気流は、多数のノズルから高い駆動周波数でインクを吐出させた場合に、吐出されたインク自体の飛翔による記録ヘッドと記録媒体との間の気流（以下、「自己気流」）によって生じる。このようなメカニズムによってインクミストが付着してしまうノズル面は、そのインクミストを発生させた記録ヘッドのノズル面だけとは限らない。複数の記録ヘッドを主走査方向に並ぶようにキャリッジに搭載し、キャリッジの主走査方向の移動を伴って画像を記録する場合には、主走査方向の前方側の記録ヘッドから発生したインクミストの多くは、キャリッジの移動により、後方側の記録ヘッドの下に流れ込む。これらのインクミストは、上記の自己気流の作用によって、後方側の記録ヘッドのノズル近傍に付着するおそれがある。
【００１３】
このように、複数の記録ヘッドを搭載したキャリッジの主走査方向の移動を伴って画像を記録するインクジェット記録装置は、記録ヘッドのノズル面とキャリッジの底面との位置関係において、２つの構成Ａ，Ｂに大きく分けることができる。構成Ａにおいては、図１７のように、記録ヘッド１（１ａ，１ｂ，１ｃ，１ｄ）のノズル面と、キャリッジ２の底面２ａと、が揃えられている。構成Ｂにおいては、図１８のように、記録ヘッド１のノズル面がキャリッジ２の底面２ａよりも記録媒体３に近い位置にある。
【００１４】
本発明者らは、このような構成Ａ，Ｂにおいて、キャリッジ２と記録媒体３との間の気流とインクミストとの関係について検討した。
【００１５】
まず、図１７（ａ）および図１８（ａ）のように、いずれの記録ヘッド１からもインクを吐出せずに、キャリッジ２を矢印１０の走査方向に移動させた。この場合、構成Ｂにおいては、記録ヘッド１の相互間の空間領域６０（６０ａ，６０ｂ，６０ｃ）にはきわめて弱い気流（キャビティ流）７０が生じた。しかし、構成Ａ，構成Ｂのいずれにおいても、記録ヘッド１と記録媒体３との間にはｚ方向の気流の流速成分はほとんど現れなかった。この場合、構成Ｂにおいて、仮に、走査方向の前方側、つまり気流７０の上流側（図中の左側）に位置する記録ヘッドからインクミストが流れてきたとしても、記録ヘッドの相互間の領域６０には、インクミストがほとんど入り込まない。また、インクを吐出していないため、自己気流による上昇気流が発生せず、走査方向の前方側（図中の左側）から流れてきたインクミストはノズル面にほとんど付着することなく、そのまま走査方向の後方側、つまり気流７０の下流側（図中の右側）に流れていく。このように、いずれの記録ヘッド１のからもインクを吐出しない場合には、構成Ａ，Ｂにおいて、キャリッジ２と記録媒体３との間の気流とミストの挙動は大きくは異ならないことが分かった。
【００１６】
次に、図１７（ｂ）および図１８（ｂ）のように、記録ヘッド１ｂのノズルからインクを吐出しつつ、キャリッジ２を主走査方向に沿う矢印１０方向に移動させた。この場合には、前述したように、吐出されたインク滴により自己気流８ｂが発生する。この自己気流８ｂは、キャリッジ２の移動によって相対的にキャリッジ２と記録媒体３との間に流れ込む気流７０（以下、「流入気流」という）を妨げる。そのため、自己気流８ｂの発生位置よりも走査方向の前方側（図中の左側）には、流入気流７０と自己気流８ｂとのぶつかり合いによって圧力が上昇する。構成Ｂにおいては、記録ヘッドの相互間に領域６０が存在するため、このような圧力上昇により、自己気流８ｂに妨げられた流入気流７０は、図１８（ｂ）のように、記録ヘッド１ｂよりも走査方向の前方側（図中の左側）の領域６０ａ内に多く流れ込む。記録ヘッド１ｂよりも走査方向の前方側（図中の右側）から流れてきたインクミストは、このように領域６０ａ内に流れ込む上昇気流９に乗って、その領域６０ａ内に入り込むことになる。
【００１７】
以上のメカニズムにより、記録ヘッドから発生したインクミストの内、その記録ヘッドよりも走査方向の後方側（図中の右側）に位置する記録ヘッドの下に流れ込む量は、領域６０内への入り込みがある構成Ｂの方が構成Ａよりも少ない傾向のあることが判った。したがって、記録ヘッドから発生したインクミストが、その記録ヘッドよりも走査方向の後方側（図中の右側）に位置する記録ヘッドのノズル面に付着する量を抑制する上において、構成Ｂの方が構成Ａよりも有効である。
【００１８】
しかしながら、構成Ｂにおいては、記録ヘッドの相互間の領域６０内に入り込んだインクミストの多くが、そこに滞留し続けるおそれがある。キャリッジ２の加減速、リターン、あるいはインクの単位時間当たりの吐出率（インクの打ち込み率）の変化などによって、記録ヘッドの相互間の領域６０内の気流に変化が生じることがある。このような場合には、その領域６０内に滞留していた多量のインクミストが一気に記録ヘッド１と記録媒体３との間に再進入するおそれがある。このように再進入したインクミストは、自己気流８ｂによって、走査方向の後方側（図中の右側）に配置された記録ヘッドのノズル面に付着するおそれがある。
【００１９】
本発明は、このような知見に基づいてなされたものである。  
【００２０】
（記録装置の基本構成）
図１９は、本発明を適用可能なインクジェット記録装置の構成例を説明するための要部の斜視図である。
【００２１】
本例の記録装置はシリアルスキャン方式の記録装置であり、ガイド軸２０２によって、キャリッジ２が矢印Ｘの主走査方向（第１の方向）に移動自在にガイドされている。キャリッジ２は、ベルト２０４が連結され、そのベルト２０４はプーリ２０５，２０６の間に掛け渡されている。キャリッジモータ２０３によって駆動されるプーリ２０５の回転方向に応じて、ベルト２０４を介して、キャリッジ２が主走査方向に往復移動される。図１９においては、キャリッジ２に４つ記録ヘッド１（１ａ，１ｂ，１ｃ，１ｄ）が搭載される。それらの記録ヘッド１は、例えば、ブラックインク吐出用の記録ヘッド、シアンインク吐出用の記録ヘッド、マゼンタインク吐出用の記録ヘッド、およびイエローインク吐出用の記録ヘッドであってもよい。記録ヘッド１には、インクを吐出可能な複数のノズルが形成されており、それらのノズルは、主走査方向と交差（本例の場合は、直交）する方向に延在するノズル列を形成するように配列されている。記録ヘッド１は、ノズル先端の吐出口からインクを吐出するためのエネルギーを発生する吐出エネルギー発生素子を備えている。その吐出エネルギー発生素子としては、電気熱変換素子（ヒータ）やピエゾ素子などを用いることができる。電気熱変換素子を用いた場合には、その発熱によってインクを発泡させ、その発泡エネルギーを利用してノズル先端の吐出口からインクを吐出することができる。
【００２２】
記録媒体３は、主走査方向と交差（本例の場合は、直交）する矢印Ｙの副走査方向に間欠的に搬送される。すなわち、記録媒体３は、上流側の一対のローラユニット３０７，３０８の間、および下流側の一対のローラユニット３０９，３１０の間に挟持されつつ、記録ヘッド１と対向する記録位置を通して副走査方向に搬送される。ローラユニット３０７，３０８およびローラユニット３０９，３１０は、駆動部２１１によって駆動される。それらの駆動には、キャリッジモータ２０３を用いてもよい。
【００２３】
画像を記録する際には、キャリッジ２と共に記録ヘッド１を主走査方向に移動させつつ、記録媒体３に向かって記録ヘッド１のノズルからインクを吐出する動作と、記録媒体３を副走査方向に搬送する搬送動作と、を繰り返す。記録ヘッド１には、複数のノズルが副走査方向と交差（本例の場合は、直交）する方向に配列されている。キャリッジ２は、記録動作開始時または記録動作中に、必要に応じてホームポジションに移動する。ホームポジションには、記録ヘッド１のインクの吐出状態を良好に維持するために、キャップ部材３１２などを含む回復処理機構が配備されている。
【００２４】
以下の実施形態においては、特に明記する場合を除いて、気流の速度はキャリッジ２を基準とした移動座標系から見た速度で議論することにする。また右手系において、キャリッジ２の往路の走査方向を＋ｘ方向、記録ヘッド１のノズル面から記録媒体３に向かう方向を＋ｚ方向とする。また、キャリッジ２に複数の記録ヘッド１を搭載している場合、キャリッジ２の往路の走査方向の先頭側の記録ヘッドから順に、第１記録ヘッド、第２記録ヘッド、…、第Ｎヘッドとする。
【００２５】
以下の実施形態は、本発明の適切な具体例であるから、技術的に好ましい種々の限定が付けられている。しかし、本発明の思想に沿うものであれば、実施形態は、本明細書の実施例に限定されるものではない。
【００２６】
（第１の実施形態）
図１は、本発明の第１の実施形態における記録ヘッド１、キャリッジ２、および記録媒体３の関係を説明するための斜視図である。
【００２７】
本例の場合は、キャリッジ２に、２つの記録ヘッド１ａ，１ｂを走査方向（＋ｘ方向）にずらすように搭載し、それらの記録ヘッド１ａ，１ｂのノズルからインクを吐出する。本例の場合、それらのノズルによって形成されるノズル列は、走査方向と直交する方向（＋ｙ方向）に延在している。記録ヘッド１ａ，１ｂにおいて、ノズル先端の吐出口が形成されるノズル面は、図２（ｂ）のように、キャリッジ２の底面２ａから記録媒体３に向かって距離Ｌ１（６．０ｍｍ）だけ突出している。記録ヘッド１ａ，１ｂのノズル面と記録媒体３の記録面との間の距離（第２の対向間隔）Ｌ２は、２．２ｍｍとした。したがって、記録ヘッド１ａ，１ｂの相互間に位置するキャリッジ２の部位と、記録媒体３の記録面と、の間の距離（第１の対向間隔）はＬ１＋Ｌ２（８．２ｍｍ）であり、記録ヘッド１ａ，１ｂのノズル面と記録媒体３の記録面との間の距離Ｌ１よりも大きい。また、第１記録ヘッド１ａにおける±ｙ方向の端面には、第１記録ヘッド１ａから、ノズル列の延在方向に外側に突出する突き出し部材４ａ，４ｂを設けられている。部材４ａ，４ｂの最も記録媒体３に近い位置と、記録媒体３と、の間の距離（第３の対向間隔）Ｌ３は、距離Ｌ２よりも０．５ｍｍだけ長い。その理由は、仮に製造ばらつきが存在したとしても、部材４ａ，４ｂがノズル面よりも記録媒体３側にはみ出ないようにして、部材４ａ，４ｂが記録媒体３と干渉して記録画像の品位を劣化させることを防ぐためである。但し、この距離Ｌ３の数値は限定されるものではなく、後述する本発明の効果が得られるものであればよい。
【００２８】
次に、図２を用いて、キャリッジ２の移動時に伴って生じる気流とインクミストの挙動について説明する。図２（ａ）は、図１の構成を＋ｚ方向から見た図であり、図２（ｂ）は、図１の構成を＋ｙ方向からに見た図である。本実施形態における記録方式は片方向記録方式であり、キャリッジ２が矢印１０の走査方向（＋ｘ方向）に移動するときに、記録ヘッドがインクを吐出することにより画像を記録し、キャリッジ２が逆の−ｘ方向に移動するときには画像を記録しない。
【００２９】
キャリッジ２が矢印１０の走査方向に移動したときに、図２（ａ）のように、走査方向の前方側（図中の左方側）の空気が第１記録ヘッド１ａの移動により剥離されて、剥離気流２２ａ，２２ｂが生じる。第１記録ヘッド１ａに設けられた部材４ａ，４ｂの走査方向の後方側（図中の右方側）には、そのように剥離気流２２ａ，２２ｂのために低圧領域３１ａ，３１ｂが生じる。一方、図２（ｂ）に示すように、第１記録ヘッド１ａと第２記録ヘッド１ｂとの間の領域６０ａにおける記録媒体３付近には、図１８（ｂ）を用いて前述したメカニズムによって高圧領域３０が生じる。つまり、図１８（ｂ）中の流入気流７０と自己気流８ｂとのぶつかり合いによって、領域６０ａの下部に高圧領域３０が生じる。これにより、記録媒体３付近から領域６０ａに向かう上昇気流２０が生じる。±ｙ方向側に関しては、部材４ａ，４ｂの後方側（図中の右方側）が低圧領域３１ａ，３１ｂとなるため、領域６０ａ内には、第１，第２記録ヘッド１ａ，１ｂ間の中央位置から±ｙ方向に向かって減少する圧力勾配が生じる。この結果、高圧領域から低圧領域へ向かう気流２１ａ，２１ｂが強くなる。このことは、領域６０ａにおいて、記録ヘッドの中央から端部に向かう流速成分が上昇することを意味する。
【００３０】
本実施形態においては、このように領域６０ａ内に気流が発生するメカニズムにより、領域６０ａにおける記録ヘッドの中央から端部に向かう流速成分の最大値は、従来例の約０．１ｍ／ｓに対して、約０．１５ｍ／ｓにまで増加した。これにより、第１記録ヘッド１ａと第２記録ヘッド１ｂとの間の領域６０ａにインクミストが入り込んでから、それが排出されるまでの最長時間は、従来例の約０．８秒に対し、約０．５秒にまで短くなり、インクミストの滞留が効果的に防止できた。
【００３１】
本実施形態においては部材４ａ，４ｂを板状の部材としたが、図２（ｃ）に示されるような部材４ｃ，４ｄとしてもよい。これらの部材４ｃ，４ｄは、±ｙ方向の端部に向かうほど、走査方向の前方側（＋ｘ方向側）の面が後方側（−ｘ方向側）の面に近づくように傾斜する断面形状となっている。このような部材４ｃ，４ｄを用いることにより、それらの前方側の傾斜面に対する気流の衝突が軽減されて気流が淀まなくなる。また、±ｙ方向の端部が鋭い形状となるため、剥離気流２２ａ，２２ｂの剥離を助長して、低圧領域３１ａ，３１ｂの形成を促すことができる。
【００３２】
また、これらの部材は、図２（ｄ）のように傾きをもった部材４ｅ、４ｆとしてもよく、特に、±ｙ方向の端部側に向かうほど、搬送方向の後方側（−ｘ方向側）に位置するように傾くことが望ましい。その理由は、このような傾きにより、剥離気流２２ａ，２２ｂが領域６０ａに気流が入り込みにくくなって、インクミストの排出が促進されるからである。
【００３３】
また、このような部材を用いずに、図３（ａ）に示されるように、第１記録ヘッド１ａ自体の両端部を第２記録ヘッド１ｂの両端部よりも±ｙ方向の外側に突き出させてもよい。これにより、第１記録ヘッド１ａの後方側（−ｘ方向側）の投影領域内に、第２記録ヘッド１ｂが位置することになる。このような構成により、上述した場合と同様に、領域６０ａに気流を発生させるメカニズムにより、領域６０ａにおけるインクミストの滞留を軽減が期待できる。しかし、図３（ｂ）に示されるように、第２記録ヘッド１ｂの両端部（突き出し部）の±ｘ方向の幅が広い場合、剥離気流２２ａ，２２ｂは、第１記録ヘッド１ａの側面に再付着する気流２８ａ，２８ｂとなるおそれがある。そのため、低圧領域３１ｃ，３１ｄが極めて小さくなり、領域６０ａ内におけるインクミストの滞留を効果的に軽減することが難しくなる。このような場合には、気流の剥離によって低圧領域を効率よく発生させるために、記録ヘッド１ａを図３（ｃ）のような形状とすることが望ましい。その記録ヘッド１ａは、±ｙ方向の端部に向かうほど、搬送方向の前方側（＋ｘ方向側）の面が後方側（−ｘ方向側）の面に近づくような断面形状となっている。このような構成により、剥離気流２２ａ，２２ｂが第１記録ヘッド１ａの側面に再付着しにくくなり、領域６０ａの±ｙ方向の外側に、低圧領域３１ａ，３１ｂを効果的に形成することができる。
【００３４】
このようにな領域６０ａ内のインクミストの滞留を軽減するための本実施形態の構成は、図４に示されるような記録ヘッド５（５ａ，５ｂ，５ｃ，５ｄ）の配備形態においても適用可能である。記録ヘッド５ａ，５ｂは、それらの端部が±ｙ方向においてオーバーラップして、１つの記録ヘッド（つなぎヘッド）として機能するように配備されている。同様に、記録ヘッド５ｂ，５ｃは、それらの端部が±ｙ方向においてオーバーラップして、１つの記録ヘッド（つなぎヘッド）として機能するように配備されている。このように１つの記録ヘッドとして機能する記録ヘッド５ａ，５ｂに、前述した部材４ａ，４ｂを備えることにより、前述した気流の発生メカニズムによって領域６０ａ内におけるインクミストの滞留を軽減することができる。
【００３５】
なお、本実施形態では、個別に構成された複数の記録ヘッドのノズル面のそれぞれがキャリッジの底面から突き出た構成として説明した。しかし、複数の記録ヘッドが一体的に構成されていて、それらの記録ヘッドのノズル面のそれぞれがキャリッジの底面から突き出た構成であってもよい。また、部材４ａ，４ｂのように低圧領域の形成を促す部材の種類は、特に限定されず、前述した気流の発生メカニズムによってインクミストの滞留を軽減させることができればよい。また、上述した種々の構成は、必要に応じて組み合わせてもよい。
【００３６】
（第２の実施形態）
図５から図１０は、本発明の第２の実施形態を説明するための図である。本実施形態における記録方式は双方向記録方式である。すなわち、キャリッジ２を矢印１１の往走査方向（＋ｘ方向）および矢印１２の復走査方向（−ｘ方向）に移動させつつ、記録ヘッドからインクを吐出することにより、画像を記録（往路記録および復路記録）する。
【００３７】
図５は、往路記録時における記録ヘッド１、キャリッジ２、および記録媒体３の関係を説明するための斜視図である。本実施形態は、第１記録ヘッド１ａにおける−ｙ方向の端面に突き出し部材６ａが取り付けられ、第２記録ヘッド１ｂにおける＋ｙ方向の端面に突き出し部材６ｂが取付けられている。図６（ａ）および（ｂ）は、往路記録時および復路記録時に、記録ヘッド１ａ，１ｂの間の領域６０ａに生じる気流の様子を図５中のｚ方向から見た図である。
【００３８】
まず往路記録時は、図６（ａ）に示されるように、第１記録ヘッド１ａ側の部材６ａの往走査方向の後方側（図中の右方側）に剥離気流２９ａが生じ、それによって低圧領域３１ｅが発生する。一方、第２記録ヘッド１ｂ側の部材６ｂにおける往走査方向の前方側（図中の左方側）には、気流２５が衝突することによって高圧領域３２ｅが発生する。そのため、領域６０ａ内には、＋ｙ方向に向かって圧力が減少する圧力勾配が生じる。その結果、領域６０ａ内には、気流２５から気流２４に向かう＋ｙ方向の気流が発生する。
【００３９】
次に、復路記録時には図６（ｂ）に示されるように、第２記録ヘッド１ｂ側の部材６ｂの復走査方向の後方側（図中の左方側）に剥離気流２９ｂが生じ、それによって低圧領域３１ｆが発生する。一方、第１記録ヘッド１ａ側の部材６ａにおける復走査方向の前方側（図中の右方側）には、気流２７が衝突することによって高圧領域３２ｆが発生する。そのため、領域６０ａ内には、−ｙ方向に向かって圧力が減少する圧力勾配が生じる。その結果、領域６０ａ内には、気流２７から気流２６に向かう−ｙ方向の気流が発生する。
【００４０】
このように、低圧領域のみならず高圧領域をも積極的に形成して気流の発生させるメカニズムにより、領域６０ａには、往路記録時と復路記録時において向きが正反対（＋ｙ方向および−ｙ方向）の気流をより効果的に発生させることができる。この気流により、領域６０ａ内におけるインクミストの滞留が軽減されて、その排出が促進される。
【００４１】
部材６ａ，６ｂは、図７のように傾斜する部材６ｃ，６ｄとすることがより望ましい。部材６ｃは、その＋ｙ側の端部が領域６０ａに向かうように傾斜しており、部材６ｄは、その−ｙ側の端部が領域６０ａに向かうように傾斜している。このように部材６ｃ，６ｄが傾斜することより、気流２５，２７が領域６０ａにより流入しやすくなる。例えば、図７のような往路記録時には、部材６ｄに衝突した気流２５が第１記録ヘッド１ａの外側方向（−ｙ方向）に逃げ難くなり、その気流２５が領域６０ａに流入しやすくなる。また、部材６ｃの往走査方向の後方側（図中の右方側）から領域６０ａへの剥離気流２９ａの流入が生じ難くなる。これらの理由により、領域６０ａ内の気流をより効率よく生じさせて、インクミストの滞留をより軽減することができる。
【００４２】
このような部材は、図８のような断面形状の部材６ｅ，６ｆとしてもよい。部材６ｅは、＋ｙ方向の端部に向かうほど、往走査方向の前方側（＋ｘ方向側）の面が後方側（−ｘ方向側）の面に近づくような断面形状となっている。部材６ｆは、−ｙ方向の端部に向かうほど、復走査方向の前方側（−ｘ方向側）の面が後方側（＋ｘ方向側）の面に近づくような断面形状となっている。このような部材６ｅ，６ｆは±ｙ方向の端部が鋭い形状となるために、剥離気流２９ａ，２９ｂの剥離を助長して低圧領域３１ｅ，３１ｆの形成を促すことができる。この結果、領域６０ａ内の気流をより効率よく生じさせて、インクミストの滞留をより軽減することができる。
【００４３】
また、このような部材を用いずに、図９（ａ）に示されるように、第１および第２記録ヘッド１ａ，１ｂを配備してもよい。第１記録ヘッド１ａの＋ｙ方向側の端部は、第２記録ヘッド１ｂの＋ｙ方向側の端部よりも＋ｙ方向の外側に突き出ており、第２記録ヘッド１ｂの−ｙ方向側の端部は、第１記録ヘッド１ａの−ｙ方向側の端部よりも−ｙ方向の外側に突き出ている。したがって、第１記録ヘッド１ａを矢印１２の往走査方向に投影した領域内に、第２記録ヘッド１ｂの＋ｙ方向側の端部が位置し、第２記録ヘッド１ｂを復走査方向に投影した領域内に、第１記録ヘッド１ａの−ｙ方向側の端部が位置することになる。このような構成においても、上述した気流の発生メカニズムにより、領域６０ａにおけるインクミストの滞留を軽減することができる。
【００４４】
さらに、図９（ａ）の第１および第２記録ヘッド１ａ，１ｂは、図９（ｂ）のような断面形状としてもよい。第１記録ヘッド１ａは、＋ｙ方向の端部に向かうほど、往走査方向の前方側（＋ｘ方向側）の面が後方側（−ｘ方向側）の面に近づくような断面形状となっている。第２記録ヘッド１ｂは、−ｙ方向の端部に向かうほど、復走査方向の前方側（−ｘ方向側）の面が後方流（＋ｘ方向側）の面に近づくような断面形状となっている。このような構成により、往路記録時には、第１記録ヘッド１ａの＋ｙ方向の端部に生じる剥離気流２９ａが第１記録ヘッド１ａに再付着し難くなって、低圧領域３１ｅをより効率よく発生させることができる。同様に、復路記録時には、第２記録ヘッド１ｂの−ｙ方向の端部に生じる剥離気流２９ｂが第２記録ヘッド１ｂに再付着し難くなって、低圧領域３１ｆをより効率よく発生させることができる。このような気流の発生メカニズムは、前述した第１の実施形態における図３（ｂ），（ｃ）の場合と同様である。
【００４５】
また、領域６０ａ内のインクミストの滞留を軽減するための本実施形態の構成は、図１０に示されるように、第１および第２記録ヘッド５ａおよび５ｂのそれぞれが複数の記録ヘッドをつないだ構成（つなぎヘッド）に対しても適用可能である。この場合にも、前述したメカニズムによって、領域６０ａ内におけるインクミストの滞留を軽減することができる。
【００４６】
なお、本実施形態では、個別に構成された複数の記録ヘッドのノズル面のそれぞれがキャリッジの底面から突き出た構成として説明した。しかし、複数の記録ヘッドが一体的に構成されていて、それらの記録ヘッドのノズル面のそれぞれがキャリッジの底面から突き出た構成であってもよい。また、部材４ａ，４ｂのように低圧領域の形成を促す部材の種類は、特に限定されず、前述した気流の発生メカニズムによって、インクミストの滞留を軽減させることができればよい。また、上述した種々の構成は、必要に応じて組み合わせてもよい。
【００４７】
（第３の実施形態）
図１１から図１６は、本発明の第３の実施形態を説明するための図である。本実施形態は、前述した第２の実施形態に対して、記録ヘッドの配備数が異なり、また、それらの記録ヘッドに取り付けられる突き出し部材の構成が異なっている。すなわち、本実施形態においては、３つの第１，第２，第３記録ヘッド１ａ，１ｂ，１ｃが備わり、第１記録ヘッド１ａには１つの突き出し部材７ａが取り付けられ、第３記録ヘッド１ｃには１つの突き出し部材７ｃが取り付けられている。一方、第２記録ヘッド１ｂには２つの突き出し部材７ｂ，７ｄが取付けられている。これら部材７ａ，７ｂ，７ｃ，７ｄのノズル列の延在方向（ｙ軸方向）における突出の程度は、部材７ａよりも部材７ｂの方が大きく、部材７ｄよりも部材７ｃの方が大きい。
【００４８】
図１１は、往路記録時における記録ヘッド１、キャリッジ２、および記録媒体３の関係を説明するための斜視図である。図１２（ａ），（ｂ）は、往路記録時および復路記録時に記録ヘッド１ａ，１ｂの間の領域６０ａ、および記録ヘッド１ｂ，１ｃの間の領域６０ｂに生じる気流の様子を図１１中のｚ方向から見た図である。
【００４９】
まず往路記録時は、図１２（ａ）に示されるように、第１記録ヘッド１ａ側の部材７ａの往走査方向の後方側（図中の右方側）に剥離気流４７ａが生じ、それによって低圧領域４５ａが発生する。一方、第２記録ヘッド１ｂ側の部材７ｂにおける往走査方向の前方側（図中の左方側）には、気流が衝突することによって高圧領域４６ａが発生する。したがって領域６０ａ内には、−ｙ方向に向かって圧力が減少する圧力勾配が生じて、気流４１ａから気流４０ａに向かう−ｙ方向の気流が発生する。また、第３記録ヘッド１ｃ側の部材７ｃが第２記録ヘッド１ｂ側の部材７ｄよりも＋ｙ方向に少し突き出ているため、部材７ｄによって遮られなかった気流４１ｂが部材７ｃに衝突することにより、高圧領域４６ｂが発生する。一方、第１記録ヘッド１ａと第２記録ヘッド１ｂとの間の領域６０ａから流出した気流４０ａは部材７ｂによって剥離された気流となるため、低圧領域４５ｂが発生する。したがって、領域６０ｂ内には、−ｙ方向に向かって圧力が減少する圧力勾配が生じて、気流４１ｂから気流４０ｂに向かう−ｙ方向の気流が発生する。このように、往路記録時には、領域６０ａ，６０ｂのそれぞれに−ｙ方向の気流が発生するため、それらの領域にはミストが滞留し難くなり、その排出が促進される。
【００５０】
次に、復路記録時には、図１２（ｂ）のように、図１２（ａ）の場合とは向きが反対の気流が生じて、領域６０ａ，６０ｂのそれぞれには＋ｙ方向に向かって圧力が減少する圧力勾配が生じることになる。したがって、領域６０ａには、気流４３ｂから気流４２ｂに向かう＋ｙ方向の気流が発生し、領域６０ｂには、気流４３ａから気流４２ａに向かう＋ｙ方向の気流が発生する。この結果、領域６０ａ，６０ｂのそれぞれにはミストが滞留し難くなり、その排出が促進される。
【００５１】
このように、往路記録時と復路記録時のそれぞれにおいて、領域６０ａ，６０ｂ内に向きが正反対（−ｙ方向および＋ｙ方向）の気流が生じて、それらの領域６０ａ，６０ｂにおけるインクミストの滞留が軽減されて、その排出が促進されることになる。
【００５２】
部材７ａ，６ｂ，７ｃ，７ｄは、図１３のように傾斜させることが望ましい。部材７ａは、その−ｙ側の端部が領域６０ａに向かって傾斜し、部材７ｂは、その−ｙ側の端部が領域６０ｂに向かって傾斜し、部材７ｃは、その＋ｙ側の端部が領域６０ｂに向かって傾斜し、部材７ｄは、その＋ｙ側の端部が領域６０ａに向かって傾斜する。このように部材を傾けることにより、前述した第２の実施形態における図７の場合と同様の気流発生のメカニズムにより、インクミストの滞留をより効率よく軽減することができる。
【００５３】
また、部材７ａ，６ｂ，７ｃ，７ｄは、図１４のような断面形状の部材７ｅ，７ｆ，７ｇ，７ｈとしてもよい。部材７ｅ，７ｆは、＋ｙ方向の端部に向かうほど、往走査方向の前方側（＋ｘ方向側）の面が後方側（−ｘ方向側）の面に近づくような断面形状となっている。部材７ｇ，７ｈは、−ｙ方向の端部に向かうほど、復走査方向の前方側（−ｘ方向側）の面が後方側（＋ｘ方向側）の面に近づくような断面形状となっている。このような部材７ｅ，７ｆ，７ｇ，７ｈは±ｙ方向の端部が鋭い形状となるために、気流の剥離を助長して低圧領域の形成を促すことができる。この結果、例えば往路記録時には、領域６０ａ，６０ｂ内の気流がより生じやすくなり、インクミストの滞留をより軽減することができる。復路記録時も同様である。
【００５４】
また、このような部材を用いずに、図１５（ａ）に示されるように、第１，第２，第３記録ヘッド１ａ，１ｂ，１ｃを配備してもよい。第１記録ヘッド１ａの−ｙ方向側の端部は、第２記録ヘッド１ｂの−ｙ方向側の端部よりも−ｙ方向の外側に突き出ており、第２記録ヘッド１ｂの＋ｙ方向側の端部は、第１記録ヘッド１ａの＋ｙ方向側の端部よりも＋ｙ方向の外側に突き出ている。第２記録ヘッド１ｂの−ｙ方向側の端部は、第３記録ヘッド１ｃの−ｙ方向側の端部よりも−ｙ方向の外側に突き出ており、第３記録ヘッド１ｃの＋ｙ方向側の端部は、第２記録ヘッド１ｂの＋ｙ方向側の端部よりも＋ｙ方向の外側に突き出ている。したがって、第１記録ヘッド１ａを矢印１１の往走査方向に投影した領域内に、第２記録ヘッド１ｂの−ｙ方向側の端部が位置し、第２記録ヘッド１ｂを往走査方向に投影した領域内に、第３記録ヘッド１ｃの−ｙ方向側の端部が位置することになる。また、第３記録ヘッド１ｃを矢印１２の復走査方向に投影した領域内に、第２記録ヘッド１ｂの＋ｙ方向側の端部が位置し、第２記録ヘッド１ｂを復走査方向に投影した領域内に、第１記録ヘッド１ａの＋ｙ方向側の端部が位置することになる。このような構成においても、上述した気流の発生メカニズムにより領域６０ａ，６０ｂにおけるインクミストの滞留が軽減できる。
【００５５】
さらに、第１，第２，第３記録ヘッド１ａ，１ｂ，１ｃを図１５（ｂ）のような断面形状としてもよい。第１および第２記録ヘッド１ａ，１ｂは、−ｙ方向の端部に向かうほど、矢印１１の往走査方向の前方側（＋ｘ方向側）の面が後方側（−ｘ方向側）の面に近づくような断面形状となっている。第２および第３記録ヘッド１ｂ，１ｃは、＋ｙ方向の端部に向かうほど、復走査方向の前方側（−ｘ方向側）の面が後方側（＋ｘ方向側）の面に近づくような断面形状となっている。このような構成により、記録ヘッドの端面に対して剥離気流を再付着し難くして、低圧領域をより効率よく発生させることができる。
【００５６】
また、領域６０ａ，６０ｂ内のインクミストの滞留を軽減するための本実施形態の構成は、図１６に示されるように、第１，第２，第３記録ヘッド１ａ，１ｂ，１ｃのそれぞれが複数の記録ヘッドをつないだ構成（つなぎヘッド）であっても適用可能である。この場合にも、前述した気流の発生メカニズムによって領域６０ａ，６０ｂ内におけるインクミストの滞留を軽減することができる。
【００５７】
なお、本実施形態では、個別に構成された複数の記録ヘッドのノズル面のそれぞれがキャリッジの底面から突き出た構成として説明した。しかし、複数の記録ヘッドが一体的に構成されていて、それらの記録ヘッドのノズル面のそれぞれがキャリッジの底面から突き出た構成であってもよい。また、部材４ａ，４ｂのように低圧領域の形成を促す部材の種類は、特に限定されず、前述した気流の発生メカニズムによって、インクミストの滞留を軽減させることができればよい。また、上述した種々の構成は、必要に応じて組み合わせてもよい。
【００５８】
（他の実施形態）
キャリッジに搭載する記録ヘッドの数は、上述した実施形態のみに特定されず、４つ以上であってもよい。また、隣接する記録ヘッドの端部の位置をずらすことにより、それらの記録ヘッドの相互間に気流を生じさせることができればよく、それらの端部の形態は上述した実施形態にのみに限定されない。
【００５９】
本発明を適用可能な記録装置は、上述したようなシリアルスキャン方式の記録装置のみに限定されず、記録ヘッドと記録媒体との相対移動を伴って画像を記録する種々の記録方式の記録装置に対して適用することができる。例えば、記録媒体の記録領域の全幅に渡って延在する長尺な記録ヘッドを用いて、記録媒体を連続的に搬送しつつ画像を記録するフルラインタイプの記録装置に対しても適用することができる。フルラインタイプの記録装置の場合には、シリアルスキャン方式の記録装置におけるキャリッジに代わって、支持部材に複数の記録ヘッドが支持され、それらの記録ヘッドのノズル面と対向する記録位置を通るように、記録媒体が連続的に搬送されることになる。その支持部材は、図１８（ａ），（ｂ）におけるキャリッジ２と同様に、記録ヘッドの相互間に領域６０を形成するように記録ヘッドを支持する。
【００６０】
第１の実施形態においては、記録ヘッド間の領域内に気流を発生させるために、記録ヘッドの両端部に低圧領域を積極的に形成した。また、第２および第３の実施形態においては、記録ヘッド間の領域内に気流を発生させるために、記録ヘッドの両端部の一方（一端部）に低圧領域を積極的に形成し、その記録ヘッドの両端部の他方（他端部）に高圧領域を積極的に形成した。しかし、記録ヘッド間の領域内に気流を発生させるために、記録ヘッドの一端部に低圧領域を積極的に形成、あるいは記録ヘッドの一端部に高圧領域を積極的に形成してもよい。例えば、前者の低圧領域は、図１における部材４ａ，４ｂの一方のみを備えることによって形成することができ、後者の高圧領域は、図５において、部材６ａを備えずに部材６ｂのみを備えることによって形成することができる。つまり、走査方向において隣接する記録ヘッドは、走査方向と交差するノズル列の延在方向の少なくとも一方側において、その一方側に位置するそれぞれの端部がノズル列の延在方向にずれていればよい。その場合、その他方側においては、それぞれの記録ヘッドの端部がノズル列の延在方向にずれていなくてもよい。
【００６１】
また、このように隣接する記録ヘッドにおいて位置がずらされる端部は、前述したように、記録ヘッドに取り付けられる突き出し部材、あるいは記録ヘッド自体によって形成することができる。また、その突き出し部材は、記録ヘッドを支持する支持部材（キャリッジを含む）に取り付けてもよい。
【符号の説明】
【００６２】
１（１ａ，１ｂ，１ｃ）  記録ヘッド
２  キャリッジ
３  記録媒体
４ａ，４ｂ，４ｃ，４ｄ，４ｅ，４ｆ  突き出し部材
１０  走査方向
１１  主走査方向
１２  復走査方向
２０  上昇気流
２１ａ  流出気流
２１ｂ  流入気流
６０ａ，６０ｂ  領域
【図１】
2013146893.tif 000003
【図２】
2013146893.tif 000004
【図３】
2013146893.tif 000005
【図４】
2013146893.tif 000006
【図５】
2013146893.tif 000007
【図６】
2013146893.tif 000008
【図７】
2013146893.tif 000009
【図８】
2013146893.tif 000010
【図９】
2013146893.tif 000011
【図１０】
2013146893.tif 000012
【図１１】
2013146893.tif 000013
【図１２】
2013146893.tif 000014
【図１３】
2013146893.tif 000015
【図１４】
2013146893.tif 000016
【図１５】
2013146893.tif 000017
【図１６】
2013146893.tif 000018
【図１７】
2013146893.tif 000019
【図１８】
2013146893.tif 000020
【図１９】
2013146893.tif 000021